(57)【要約】【課題】ストックを雪面に突いたときの雪面からの衝撃を分散、緩衝させることにより、手を痛めるのを防止する。【解決手段】ストック２０のグリップ２２の端部に取り付けられるストラップ２と、グリップ２２から引き出されたストラップ２の２本の帯状体３、４の自由端間を連結する連結手段１１と、ストラップ２の一方の帯状体４に取り付けられるとともに、取付け位置の調整が可能なパッド７とを備える。パッド７は、ストラップ２よりも幅広で弾性を有する素材から形成される。ストック２０を雪面に突き刺したときの雪面からの衝撃は、グリップ２２を介して手に伝達することになるが、手の甲には幅広で弾性を有するパッド７が接触しているので、その衝撃が分散、緩衝され、衝撃によって手を痛めるのが防止される。【選択図】        図１
2004215918.tif 000002
【特許請求の範囲】
【請求項１】
シャフトの一端部にグリップが取り付けられるとともに、該グリップの端部にストラップが取り付けられるストックのストラップの構造であって、前記グリップの端部に取り付けられる環状のストラップと、該ストラップに取り付けられるとともに、該ストラップよりも幅広で弾性を有するパッドとを備えてなることを特徴とするストックのストラップの構造。
【請求項２】
前記パッドの前記ストラップに対する取付け位置の調整を可能としたことを特徴とする請求項１に記載のストックのストラップの構造。
【請求項３】
前記ストラップは、帯状をなすものを二つ折りにして折曲部を前記グリップに固着し、前記グリップから引き出した一方の帯状体の自由端と他方の帯状体の自由端とを連結手段によって連結することにより環状に形成されていることを特徴とする請求項１又は２に記載のストックのストラップの構造。
【請求項４】
前記連結手段は、前記ストラップの一方の帯状体の自由端部に設けられるとともに、内側に他方の帯状体の自由端部を挿通させるバックルと、他方の帯状体の自由端部に設けられる接着テープと、前記パッドに設けられるとともに、前記バックルを挿通させて折り返した前記他方の帯状体の接着テープと互いに噛み合い接着される接着テープとからなることを特徴とする請求項３に記載のストックのストラップの構造。
【発明の詳細な説明】
【０００１】
【発明の属する技術分野】
本発明は、スキー、トレッキング等に使用されるストックのストラップの構造に関し、特に、雪面にストックを突いたときの衝撃を緩衝させる機能を備えたストックのストラップの構造に関するものである。
【０００２】
【従来の技術】
スキー、トレッキング等に使用されるストックのストラップの一例として、図３に示すように、帯状をなすものを二つ折りにし、折曲部２８をグリップ（図示せず）の端部にねじ（図示せず）により固定し、グリップの端部から引き出した一方の帯状体２６の自由端部に環状のバックル２９を取り付け、他方の帯状体２７の自由端部をバックル２９内に挿通させて、環状の大きさを調整するように構成したストラップ２５が知られている。このような構成のストラップ２５にあっては、下方からストラップ２５内に手を挿入し、ストラップ２５と一緒にグリップを握ることにより、ストックを操作することが可能となるものである（例えば、特許文献１参照。）。
【０００３】
【特許文献１】
特開平８−１０３５２９号公報
【０００４】
【発明が解決しようとする課題】
ところで、上記のような構成のストラップ２５にあっては、ストックを雪面に突いたときの雪面からの衝撃がグリップを介して手に伝達したときに、その衝撃が手の甲に接触しているストラップ２５の部分で受け止められてしまうため、その衝撃によって手を痛めてしまうことがある。また、転倒等したときに、ストックからの衝撃が手の甲に接触しているストラップ２５の部分に集中し、手を痛めてしまうこともある。
【０００５】
本発明は、上記のような従来の問題を解決したものであって、ストックを雪面に突いたときに雪面からの衝撃がグリップを介して手に伝達しても、その衝撃によって手を痛めることがなく、また、転倒等したときに、ストックからの衝撃が手の甲に接触しているストラップの部分に集中しても、手を痛めるようなことがないストックのストラップの構造を提供することを目的とするものである。
【０００６】
【課題を解決するための手段】
上記のような課題を解決するために、本発明の請求項１に係るストックのストラップの構造は、シャフトの一端部にグリップが取り付けられるとともに、該グリップの端部にストラップが取り付けられるストックのストラップの構造であって、前記グリップの端部に取り付けられる環状のストラップと、該ストラップに取り付けられるとともに、該ストラップよりも幅広で弾性を有するパッドとを備えてなる手段を採用している。
また、本発明の請求項２に係るストックのストラップの構造は、請求項１に記載のストックのストラップの構造において、前記パッドの前記ストラップに対する取付け位置の調整を可能とした手段を採用している。
さらに、本発明の請求項３に係るストックのストラップの構造は、請求項１又は２に記載のストックのストラップの構造において、前記ストラップは、帯状をなすものを二つ折りにして折曲部を前記グリップに固着し、前記グリップから引き出した一方の帯状体の自由端と他方の帯状体の自由端とを連結手段によって連結することにより環状に形成されている手段を採用している。
さらに、本発明の請求項４に係るストックのストラップの構造は、請求項３に記載のストックのストラップの構造において、前記連結手段は、前記ストラップの一方の帯状体の自由端部に設けられるとともに、内側に他方の帯状体の自由端部を挿通させるバックルと、他方の帯状体の自由端部に設けられる接着テープと、前記パッドに設けられるとともに、前記バックルを挿通させて折り返した前記他方の帯状体の接着テープと互いに噛み合い接着される接着テープとからなる手段を採用している。
【０００７】
【作用】
本発明は、上記のような手段を採用したことにより、ストラップ内に下方から手を差し込んで、ストラップを手の甲に引っ掛け、この状態でストラップのグリップに隣接している部分とグリップとを一緒に握ることにより、ストックの操作が可能となる。そして、ストックを操作して雪面に突くと、雪面からの衝撃がグリップを介して手に伝達し、その衝撃がストラップで受け止められることになるが、ストラップにはストラップよりも幅広で弾性を有するパッドが取り付けられているので、衝撃がパッドによって分散、緩衝され、衝撃が手の甲の一部に集中して手を痛めるようなことがなくなる。また、パッドは、ストラップに対する取付け位置の調整が可能となっているので、ストックを操作する人の手の大きさ、形状等に応じてパッドの位置を調整することができる。
【０００８】
【発明の実施の形態】
一般に、スキー、トレッキング等に使用されるストックは、アルミ合金等から形成されるシャフト、シャフトの一端部に取り付けられるグリップ、シャフトの他端部に取り付けられるリング、グリップの端部に取り付けられるストラップ等の複数の部品から構成されている。本発明は、このような構成のストックのストラップに適用したものである。
【０００９】
以下、図面に示す本発明の実施の形態について説明する。
図１及び図２には、本発明によるストックのストラップの構造の一実施の形態が示されていて、このストックのストラップの構造１は、ストック２０のグリップ２２の端部に取り付けられるストラップ２と、ストラップ２に取り付けられるパッド７とを備えている。
【００１０】
ストラップ２は、合成樹脂等からなる帯状をなすものを二つ折りにし、折曲部５をグリップ２２の端部に固着させ、グリップ２２から引き出した長さの異なる２本の帯状体３、４の自由端間を連結手段１１によって連結して環状に形成したものである。この場合、上側に位置する帯状体４の方が下側に位置する帯状体３よりも長くなるように、折曲部５の位置を調整している。
【００１１】
ストラップ２をグリップ２２に固着させる手段としては、例えば、グリップ２２の端部に水平方向を向く穴（図示せず）を設け、この穴内に水平方向からストラップ２の折曲部５を差し込み、グリップ２２の上端から下方に向けてねじ２３を捻じ込み、そのねじ２３を折曲部５に設けた貫通孔６を挿通させてグリップ２２に固着させる方法が挙げられる。但し、この方法に限らず、他の周知の固着方法を使用しても良い。
【００１２】
連結手段１１としては、例えば、ストラップ２の下側の帯状体３の自由端に取り付けられる合成樹脂、金属等から形成される角環状のバックル１２と、上側の帯状体４の自由端部の裏面側に設けられる合成樹脂製の一方の接着テープ１３と、後述するパッド７の表面側に設けられる一方の接着テープ１３と噛み合い可能な合成樹脂製の他方の接着テープ１４との組合せが挙げられる。
【００１３】
この場合、接着テープ１３、１４としては、例えば、フック状の接着テープとバイル状の接着テープとを組合せたもの（マジックテープ、商標名）が挙げられるが、これに限定することなく、両接着テープ１３、１４を互いに接着させることができるものであれば良い。
【００１４】
バックル１２は、その内側にストラップ２の下側の帯状体３の自由端部を挿通させて折り返し、折り返した部分を縫製、接着剤による接着、熱融着等の手段により折り返していない部分に接合することにより、下側の帯状体３の自由端に取り付けられる。
【００１５】
上側の帯状体４に設けられる一方の接着テープ１３は、フック状又はバイル状のものであって、上側の帯状体４の全長の約１／３を占めるように、上側の帯状体４の自由端部の裏面側に略全幅に渡って設けられる。一方の接着テープ１３を上側の帯状体４に設ける手段としては、縫製、接着剤による接着、熱融着等の方法が挙げられる。
【００１６】
パッド７に設けられる他方の接着テープ１４は、バイル状又はフック状のものであって、パッド７の後述する表面層９の上部にほぼ全体に渡って、上側の帯状体４と同様に、縫製、接着剤による接着、熱融着等の方法によって設けられている。
【００１７】
パッド７は、略楕円形状の裏面層８と、この裏面層８の上部に積層される裏面層８と同一形状、大きさの表面層９と、表面層９の上部に設けられる前述した他方の接着テープ１４とから構成されている。
【００１８】
裏面層８は、合成樹脂等からなる織布又は不織布を素材とし、これを一層又は二層以上に積層することにより弾性を付加したものであって、この裏面層８の弾性によってストラップ２に入力する衝撃を緩衝させることができるものである。なお、裏面層８は、全体又は一部を弾性を有する合成ゴム等によって形成しても良い。
【００１９】
表面層９は、裏面層８と同様に、合成樹脂等からなる織布又は不織布を素材とし、これを一層又は二層以上に積層することにより弾性を付加したものであって、この表面層９の弾性によってもストラップ２に入力する衝撃を緩衝させることができるものである。なお、表面層９も裏面層８と同様に、全体又は一部を弾性を有する合成ゴム等によって形成しても良い。
【００２０】
表面層９は、裏面層８の上部に積層した状態で、周縁部が縫製、接着剤による接着、熱融着等の手段によって裏面層８の周縁部に一体に接合されている。表面層９と裏面層８との間には所定の空隙（図示せず）が形成され、この空隙は長手方向の両端部に設けられている切込み１０、１０によって外部に開放されるようになっている。
【００２１】
表面層９の上部には、ほぼ全体に渡って他方の接着テープ１４が縫製、接着剤による接着、熱融着等の方法によって一体に設けられている。この場合、他方の接着テープ１４は、表面層９の中心部のみに全長に渡って設けても良い。また、図示はしないが、表面層９を設けずに、裏面層８の上部に裏面層８と同一形状、大きさに形成した他方の接着テープ１４を直接に設けるようにしても良い。
【００２２】
そして、上記のように構成したパッド７の一方の切込み１０から空隙内にストラップ２の上側の帯状体４を挿入し、その上側の帯状体４を空隙を挿通させて他方の切込み１０から引き出すことにより、パッド７が上側の帯状体４に取り付けられる。この場合、パッド７を上側の帯状体４に沿って移動させることにより、上側の帯状体４の所定の位置に位置決めすることができる。
【００２３】
そして、上記のように構成したストラップ２を備えたストック２０を使用するには、ストラップ２の上側の帯状体４の自由端部を下側の帯状体３のバックル１２内に挿通させて折り返し、上側の帯状体４の裏面側の一方の接着テープ１３とパッド７側の他方の接着テープ１４とを互いに噛み合わせて接着させることにより、ストラップ２を環状に形成する。この場合、予め、手の大きさ、形状に応じて上側の帯状体４におけるパッド７の位置を調整しておき、パッド７が手の甲の部分に接触するようにしておく。
【００２４】
そして、下方からストラップ２内に手を挿入し、パッド７の部分を手の甲に接触させ、グリップ２２に隣接しているストラップ２の下側の帯状体３の部分とグリップ２２とを一緒に握ることにより、ストック２０の操作が可能となるものである。
【００２５】
そして、ストック２０を操作して雪面に突き刺し、雪面からの衝撃がグリップ２２を介して手に伝達すると、その衝撃は手からストラップ２側に伝達することになるが、この場合、手の甲に接触するストラップ２の部分には幅広で弾性を有するパッド７が設けられているので、このパッド７によってその衝撃が分散、緩衝される。従って、ストック２０を雪面に突いたときの衝撃によって手を痛めるのを防止できる。さらに、転倒等によってストック２０からの衝撃が手の甲に作用しても、その衝撃を幅広で弾性を有するパッド７によって分散、緩衝させることができるので、転倒時のストック２０からの衝撃によって手を痛めるのも防止できる。
【００２６】
なお、前記の説明においては、ストラップ２の下側の帯状体３の自由端にバックル１２を設け、上側の帯状体４の自由端部に一方の接着テープ１３を設け、パッド７の表面側に他方の接着テープ１４を設け、バックル１２を挿通させた上側の帯状体４の一方の接着テープ１３をパッド７の他方の接着テープ１４に噛み合わせるように構成したが、下側の帯状体３の自由端部に他方の接着テープ（図示せず）を設け、バックル１２を通した上側の帯状体４の一方の接着テープ１３を下側の帯状体３の他方の接着テープに噛み合わせることにより、ストラップ２を環状に形成するようにしても良い。さらに、上側の帯状体４の自由端部に長手方向に所定の間隔ごとに孔（図示せず）を設け、この孔内に下側の帯状体３のバックル１２に設けた係止ピン（図示せず）を突き刺すことにより、ストラップ２を環状に形成するようにしても良い。
【００２７】
【発明の効果】
本発明は、前記のように構成したことにより、ストックを雪面に突いたときに、雪面からの衝撃がグリップを介して手に伝達しても、その衝撃は幅広で弾性を有するパッドに受け止められて分散、緩衝されることになるので、雪面にストックを突いたときの衝撃によって手を痛めるようなことはなくなる。また、転倒時にストックからの衝撃が手に伝達しても、その衝撃は幅広で弾性を有するパッドで受け止められて分散、緩衝されることになるので、転倒時のストックからの衝撃によって手を痛めることもなくなる。また、パッドは、ストラップに対する取付け位置の調整が可能となっているので、パッドの位置を調整することにより手の大きさ、形状の異なる様々な人に対応することが可能となる。
【図面の簡単な説明】
【図１】本発明によるストックのストラップの構造の一実施の形態の全体を示した斜視図である。
【図２】図１に示すストラップの取付け前の状態を示した説明図である。
【図３】従来のストラップの一例を示した説明図である。
【符号の説明】
１……ストラップの構造
２、２５……ストラップ
３……下側の帯状体
４……上側の帯状体
５、２８……折曲部
６……貫通孔
７……パッド
８……裏面層
９……表面層
１０……切込み
１１……連結手段
１２、２９……バックル
１３……一方の接着テープ
１４……他方の接着テープ
２０……ストック
２１……シャフト
２２……グリップ
２３……ねじ
２６……一方の帯状体
２７……他方の帯状体
【図１】
2004215918.tif 000003
【図２】
2004215918.tif 000004
【図３】
2004215918.tif 000005